(57)【要約】【課題】簡単な部品構成でグレーチング形状を形成し、新設や取替えも簡単な１人作業が可能で設置作業性がよい上、安全に設置でき得るグレーチング設置構造を提供する。【解決手段】コンクリート側溝1の側溝内側壁等２を加工することなく、全ねじ貫通孔３が開けられた添え板７に溶接固定された高ナット６に螺着された丸座金５と角穴付全ねじ４から成るグレーチング設置構造体１３はグレーチング１１（クロスバー８とＴバー９、エンドバー１０から成る組立て部材）に溶接固定されており、Ｔバー９の間から上方より角穴付全ねじ４の角穴に対応する角棒部を先端に有するレンチなどの棒状工具１４を回転させ、高さを調整することでグレーチング１１とコンクリート側溝天端１２との高低さがなくなり、グレーチング１１がコンクリート側溝１内に均等の高さに設置される。【選択図】図８
2011052429.tif 000002
【特許請求の範囲】
【請求項１】
側溝の側溝内側壁等を加工することなく、グレーチングに溶接固定される全ねじ貫通孔が開けられた添え板に溶接固定された高ナットに螺着された丸座金と角穴付全ねじとを具備するグレーチング設置構造体であって、前記グレーチングに固定され、レンチなどの棒状工具を回転させ、高さを調整することでグレーチングを側溝内に設置することを特徴とするグレーチング設置構造体。
【請求項２】
全ねじ貫通孔が開けられた添え板に溶接固定された高ナットに螺着された丸座金と角穴付全ねじから成る請求項１記載のグレーチング設置構造体
【請求項３】
側溝とこの側溝に設置されるグレーチングとからなるグレーチング付き側溝であって、請求項１記載のグレーチング設置構造体を具備してなるグレーチング付き側溝。
【発明の詳細な説明】
【技術分野】
【０００１】
本発明は、主として道路や建物の側溝や排水溝、化粧蓋等に利用されるグレーチングを側溝に設置するためのグレーチング設置構造体、前記グレーチング設置構造体を備えたグレーチング付き側溝、並びに、前記グレーチング設置構造体を備えることでグレーチングが設置されうる側溝に関する。なお、本発明にいう溝は、横断溝やグレーチング蓋や金属性マット用の溝形状のものを含む。
【背景技術】
【０００２】
道路や歩道等また建物には、雨水を排水するための側溝や横断溝等Ｕ形コンクリート側溝が設置され、グレーチング受枠に直接設置するものやと固定金具を取り付けボルトやナットで固定している構造がある（例えば、特許文献１〜3参照）。
【０００３】
このような方法では受け枠を設置するに際し、溶接を行ったり、また固定金具を取り付けボルトやナットで固定するなど取り付け時間を要し作業性が悪いなどの問題がある。
【０００４】
【特許文献１】特開２００３−２６８８６５号公報
【特許文献２】特開２００５−４２４６４号公報
【特許文献３】特開２００６−２９９７９４号公報
【発明の開示】
【発明が解決しようとする課題】
【０００５】
本発明はこのような問題を解決するためになされたものであり、グレーチング設置に際し、受け枠を省略しまた固定のための取り付けボルトやナットを簡素化し、簡単な部品構成でグレーチングを設置する構造を提供するものである。
【課題を解決するための手段】
【０００６】
（１）本発明のグレーチング設置構造体１３は、コンクリート側溝１の側溝内側壁等２を加工することなく、全ねじ貫通孔３が開けられた添え板７に溶接固定された高ナット６に螺着された丸座金５と角穴付全ねじ４から成るグレーチング設置構造体１３はグレーチング１１（クロスバー８とＴバー９、エンドバー１０から成る組立て部材）に溶接固定されており、Ｔバー９の間から上方より角穴付全ねじ４の角穴に対応する角棒部を先端に有するレンチなどの棒状工具１４を回転させ、高さを調整することでグレーチング１１とコンクリート側溝天端１２との高低さがなくなり、グレーチング１１がコンクリート側溝１内に均等の高さに設置されることでグレーチング１１を側溝内に設置することを特徴とする。
【０００７】
また、本発明のグレーチング１１付き側溝１は、側溝１とこの側溝１に設置されるグレーチング１１とからなるグレーチング１１付き側溝１であって、請求項１記載のグレーチング設置構造体１３を具備してなるものである。
【発明の効果】
【０００８】
上記構成より成る本発明によれば、受け枠を設置したり、固定金具を取り付けボルトやナットで固定することなく、角穴付全ねじ４の回転操作のみでグレーチングの側溝内への設置を簡単に行うことができる。また複雑な可動部分がなく、少数の単純部材のみで構成されるから、故障が少なく安価に製作できる。また取り付けにおいて専門の鍛冶職や金物取り付け職人でなくとも、設置が可能である。
【発明を実施するための最良の形態】
【０００９】
以下、本発明の最良の構成を含む実施形態を図面に基づいて説明する。本発明の実施形態は、実施例１および２のグレーチング１１付側溝１（図１、図２）、前記のうち実施例１及び２のグレーチング構造に含まれるグレーチング設置構造体１３（図３）、前記のうち実施例１及び２のグレーチング構造に含まれるグレーチング設置構造体１３（図３）、前記グレーチング設置構造体１３を具備するグレーチング１１（図４）
【００１０】
各図を具体的に説明すると、図１は、本発明の実施例１のグレーチング１１付側溝１の断面図である。図２は、本発明の実施例２のグレーチング１１付側溝１の断面図である。図３は、実施例１、２のグレーチング１１付側溝１に含まれるグレーチング設置構造体１３の断面図である。図４は、図１，２に示すコンクリート側溝１を成型するためのグレーチングのいろいろなバリエーションの断面図である。
【００１１】
（本発明のグレーチング設置構造体）
本発明のグレーチング設置構造体１３は、コンクリート側溝１の側溝内側壁等２に設けられた全ねじ貫通孔３が開けられた添え板７に溶接固定された高ナット６に螺着された丸座金５と角穴付全ねじ４から成るなる。
【実施例１】
【００１２】
浅型の側溝とグレーチングから成るグレーチング設置構造
【実施例２】
【００１３】
深型のＵ字側溝とグレーチングから成るグレーチング設置構造
【００１４】
その他、本発明は上述した実施例に限定されることなく、本発明の趣旨を逸脱しない範囲で種々の構成の変形、組合せ、あらゆる材質の選択、或いは抽出が可能である。
【図面の簡単な説明】
【００１５】
【図１】本発明のグレーチングを使用した実施例１
【図２】本発明のグレーチングを使用した実施例２
【図３】実施例１、２のグレーチング１１付側溝１に含まれるグレーチング設置構造体１３の断面図である。
【図４】図１，２に示すコンクリート側溝１を成型するためのグレーチングのいろいろなバリエーションの断面図である。
【図５】本発明のグレーチングの平面図である。
【図６】図５中のＸ部分拡大図である。
【図７】本発明のグレーチングの断面図(図６中のＡ−Ａ断面部分)である。
【図８】本発明のグレーチングの断面図（図６中のＢ−Ｂ断面部分）である。
【符号の説明】
【００１６】
１   コンクリート側溝
２    側溝内側壁等
３   全ねじ貫通孔
４   角穴付全ねじ
５    丸座金
６    高ナット
７   添え板
８   クロスバー
９   Ｔバー
１０  エンドバー
１１  グレーチング
１２   コンクリート側溝天端
１３  ４〜７の部材から成るグレーチング設置構造体
１４  角穴付全ねじ４の角穴に対応する角棒部を
先端に有するレンチなどの棒状工具
.
【図１】
2011052429.tif 000003
【図２】
2011052429.tif 000004
【図３】
2011052429.tif 000005
【図４】
2011052429.tif 000006
【図５】
2011052429.tif 000007
【図６】
2011052429.tif 000008
【図７】
2011052429.tif 000009
【図８】
2011052429.tif 000010